(57)【要約】  画面表示部（１０３）は、情報を表示する。第１の検出部（１２）は、第１の入力を検出する。第２の検出部（１３）は、第２の入力を検出する。指定部（１４）は、第１の入力に基づいて、画面表示部（１０３）により表示された情報のうち特定の情報を指定する。画面制御部（１５）は、第２の入力に基づいて、画面表示部（１０３）に新しい情報を表示させる。画面表示部（１０３）は、指定部（１４）により指定された特定の情報を表示したまま、画面制御部（１５）により新しい情報を表示する。
2014132882.tif 000002
【特許請求の範囲】
【請求項１】
情報を表示する表示手段と、
第１の入力を検出する第１の検出手段と、
第２の入力を検出する第２の検出手段と、
前記第１の入力に基づいて、前記表示手段により表示された情報のうち特定の情報を指定する指定手段と、
前記第２の入力に基づいて、前記表示手段に新しい情報を表示させる画面制御手段と、を備え、
前記表示手段は、前記指定手段により指定された特定の情報を表示したまま、前記画面制御手段により新しい情報を表示する、
ことを特徴とする端末装置。
【請求項２】
情報の表示と入力の検出とが可能な表示パネルを備え、
前記表示パネルは前記表示手段として情報を表示し、
前記第１の検出手段は、前記表示パネルが検出した入力から前記第１の入力を検出し、
前記第２の検出手段は、前記表示パネルが検出した入力から前記第２の入力を検出する、
ことを特徴とする請求項１に記載の端末装置。
【請求項３】
情報の表示と入力の検出とが可能な表示パネルと、入力装置とを備え、
前記表示パネルは端末装置の一つの面に設置され、
前記入力装置は端末装置の他の面に設置され、
前記表示パネルは前記表示手段として情報を表示し、
前記第１の検出手段は、前記表示パネルが検出した入力又は前記入力装置による入力から前記第１の入力を検出し、
前記第２の検出手段は、前記入力装置による入力又は前記表示パネルが検出した入力から前記第２の入力を検出する、
ことを特徴とする請求項１に記載の端末装置。
【請求項４】
前記入力装置は、端末装置の一組の対向する側面にそれぞれ設置されている、
ことを特徴とする請求項３に記載の端末装置。
【請求項５】
前記第２の入力に基づいて、前記画面制御手段が前記指定手段により指定された特定の情報以外の情報の表示を変化させる際、前記指定手段によって指定された特定の情報があることを報知する報知手段を備える、
ことを特徴とする請求項１から４のいずれか１項に記載の端末装置。
【請求項６】
前記画面制御手段は、前記指定手段により指定された特定の情報が存在する場合には、前記第２の入力に応答して、新たな情報として、前記特定の情報を加工表示する、
ことを特徴とする請求項１から５のいずれか１項に記載の端末装置。
【請求項７】
前記画面制御手段は、前記指定手段により指定された特定の情報が存在する場合には、前記第２の入力に応答して、前記特定の情報を拡大又は縮小して表示し、前記特定の情報以外の情報の表示はそのまま維持する、
ことを特徴とする請求項６に記載の端末装置。
【請求項８】
情報を表示する表示ステップと、
前記表示ステップで表示された情報のいずれかを指定する指定ステップと、
前記表示ステップで表示された情報の更新を指示する更新指示ステップと、
前記更新指示ステップで表示中の情報の更新が指示されたときに、前記表示ステップを制御して表示情報を更新し、且つ、前記指定ステップでいずれかの情報が指定され且つ前記更新指示ステップで表示中の情報の更新が指示されたときに、前記表示ステップを制御して、前記指定ステップで指定された情報を表示した状態で、他の表示情報を更新する制御ステップと、を備える、
ことを特徴とする情報表示方法。
【請求項９】
コンピュータに、
情報を表示する表示機能、
前記表示機能により表示された情報のいずれかを指定する指定機能、
前記表示機能により表示された情報の更新を指示する更新指示機能、
前記更新指示機能により表示中の情報の更新が指示されたときに、前記表示機能を制御して表示情報を更新し、且つ、前記指定機能によりいずれかの情報が指定され且つ前記更新指示機能により表示中の情報の更新が指示されたときに、前記表示機能を制御して、前記指定機能により指定された情報を表示した状態で、他の表示情報を更新する制御機能、
を実現させるためのプログラムを記録した記録媒体。
【発明の詳細な説明】
【技術分野】
【０００１】
本発明は、表示機能を備えた端末装置、情報表示方法及び記録媒体に関する。
【背景技術】
【０００２】
携帯端末装置等の端末装置は、コンテンツを表示する際、スクロールやページ移動等により表示情報を更新して表示する。【０００３】
このような端末装置において、操作者が所望の情報を見つけた後に、新しい情報を表示するために画面をスクロールさせたり、ページを更新したりすると、元の情報は画面から消えてしまう。このため、元の情報を維持しておきたい場合には、その情報を書き留めるなどする必要がある。この問題を解決できる技術が特許文献１及び２に開示されている。【０００４】
特許文献１は、閲覧したウェブページの情報を自動保存しておき、ユーザの要望に応じて、過去に表示したウェブページの情報を再表示する端末装置を開示している。【０００５】
特許文献２は、閲覧モードを通常モードと仮注視モードで選択できるようにした端末装置を開示している。この端末装置は、仮注視モードで所望の情報が見つからなかった場合、仮注視モードに切り替える前に見ていた情報を再表示させることができる。
【先行技術文献】
【特許文献】
【０００６】
【特許文献１】特開２０１１−２０４１５８号公報
【特許文献２】特開２００９−０５３７８４号公報
【発明の概要】
【発明が解決しようとする課題】
【０００７】
特許文献１及び２が開示する端末装置は、過去に閲覧したウェブページを再表示することができる。再表示すると、現在閲覧しているウェブページの情報は画面から消えてしまい、現在表示中のウェブページと過去に閲覧したウェブページとを同時に表示させることができない。したがって、新旧のウェブページを比較する等の作業を行う場合には、閲覧効率が低くなってしまうという課題がある。【０００８】
同様の問題は、ウェブページを表示する場合に限らず、様々なコンテンツを表示する場合に同様に存在する。【０００９】
本発明は、上記の実情に鑑みてなされたものであり、操作者がより効率的に情報を閲覧することのできる端末装置、情報表示方法及び記録媒体を提供することを目的とする。また、本発明は、コンテンツを容易に対比可能に表示することのできる端末装置、情報表示方法及び記録媒体を提供することを目的とする。
【課題を解決するための手段】
【００１０】
上記目的を達成するために、本発明の第１の観点に係る端末装置は、
情報を表示する表示手段と、
第１の入力を検出する第１の検出手段と、
第２の入力を検出する第２の検出手段と、
前記第１の入力に基づいて、前記表示手段により表示された情報のうち特定の情報を指定する指定手段と、
前記第２の入力に基づいて、前記表示手段に新しい情報を表示させる画面制御手段と、を備え、
前記表示手段は、前記指定手段により指定された特定の情報を表示したまま、前記画面制御手段により新しい情報を表示する、
ことを特徴とする。【００１１】
上記目的を達成するために、本発明の第２の観点に係る情報表示方法は、
情報を表示する表示ステップと、
前記表示ステップで表示された情報のいずれかを指定する指定ステップと、
前記表示ステップで表示された情報の更新を指示する更新指示ステップと、
前記更新指示ステップで表示中の情報の更新が指示されたときに、前記表示ステップを制御して表示情報を更新し、且つ、前記指定ステップでいずれかの情報が指定され且つ前記更新指示ステップで表示中の情報の更新が指示されたときに、前記表示ステップを制御して、前記指定ステップで指定された情報を表示した状態で、他の表示情報を更新する制御ステップと、を備える、
ことを特徴とする。【００１２】
上記目的を達成するために、本発明の第３の観点に係る記録媒体は、コンピュータに、
情報を表示する表示機能、
前記表示機能により表示された情報のいずれかを指定する指定機能、
前記表示機能により表示された情報の更新を指示する更新指示機能、
前記更新指示機能により表示中の情報の更新が指示されたときに、前記表示機能を制御して表示情報を更新し、且つ、前記指定機能によりいずれかの情報が指定され且つ前記更新指示機能により表示中の情報の更新が指示されたときに、前記表示機能を制御して、前記指定機能により指定された情報を表示した状態で、他の表示情報を更新する制御機能、
を実現させることを特徴とするプログラムを記録した記録媒体である。
【発明の効果】
【００１３】
本発明により、操作者がより効率的に情報を閲覧することのできる端末装置、情報表示方法及び記録媒体を提供することができる。
【図面の簡単な説明】
【００１４】
【図１】第１実施形態に係る端末装置のハードウェア構成を示すブロック図である。
【図２】第１実施形態に係る端末装置の機能構成を示すブロック図である。
【図３】第１実施形態に係る端末装置の外観図である。
【図４】第１実施形態に係る端末装置の入力検出処理のフローチャートである。
【図５Ａ】第１実施形態に係る端末装置の動作の具体例を説明するための図である。
【図５Ｂ】第１実施形態に係る端末装置の動作の具体例を説明するための図である。
【図５Ｃ】第１実施形態に係る端末装置の動作の具体例を説明するための図である。
【図６】図５Ａ〜図５Ｃに示す具体例に係る画面表示操作処理のフローチャートである。
【図７Ａ】第２実施形態に係る端末装置の外観図である。
【図７Ｂ】第２実施形態に係る端末装置の外観図である。
【図８Ａ】第３実施形態に係る端末装置の外観図である。
【図８Ｂ】第３実施形態に係る端末装置の外観図である。
【図８Ｃ】第３実施形態に係る端末装置の外観図である。
【図９Ａ】第４実施形態に係る端末装置の動作の具体例を説明するための図である。
【図９Ｂ】第４実施形態に係る端末装置の動作の具体例を説明するための図である。
【図９Ｃ】第４実施形態に係る端末装置の動作の具体例を説明するための図である。
【図１０】図９Ａ〜図９Ｃに示す具体例を実行する際のスクロール処理のフローチャートである。
【図１１Ａ】第５実施形態に係る端末装置の、動作の具体例を説明するための図である。
【図１１Ｂ】第５実施形態に係る端末装置の、動作の具体例を説明するための図である。
【図１１Ｃ】第５実施形態に係る端末装置の、動作の具体例を説明するための図である。
【図１２】図１１Ａ〜図１１Ｃに示す具体例を実行する際の画面表示変更処理のフローチャートである。
【発明を実施するための形態】
【００１５】
以下、本発明の実施形態に係る端末装置を、図面を参照して説明する。
【００１６】
（第１実施形態）
第１実施形態に係る端末装置１００は、例えば、インターネット等にアクセスしてウェブページ等を表示する機能を備える。端末装置１００は、図１に示すように、制御部１０１、操作部１０２、画面表示部１０３、記憶部１０４及び外部接続部１０５を備える。
【００１７】
制御部１０１は、Central Processing Unit（ＣＰＵ）、Read Only Memory（ＲＯＭ）、Random Access Memory（ＲＡＭ）等を備え、記憶部１０４内からプログラムを読み出して実行し、端末装置１００全体の制御を行う。例えば制御部１０１は、インターネットサイトへのアクセス、画面表示部１０３への画面表示、記憶部１０４からのデータの読み出し及び記憶部１０４へのデータの書き込み、並びに外部接続部１０５を通じた外部との通信などを行う。
【００１８】
操作部１０２は、操作者の操作を入力として受けとり、制御部１０１に情報として伝達する。例えば端末装置１００が携帯電話であれば、操作部１０２は、タッチパネルやボタンなどを備える。また、端末装置１００が据え置き型パソコン等の装置であれば、マウスやキーボードなどを備える。
【００１９】
画面表示部１０３は、制御部１０１の制御に基づき、電子メール・ウェブページ等のコンテンツや、端末装置１００自身を操作するための操作画面など、端末装置１００が操作者に対して表示すべき情報を表示する。画面表示部１０３は、液晶ディスプレイや有機エレクトロルミネセンスディスプレイ等で構成される。
【００２０】
記憶部１０４は、制御部１０１で実行されるプログラムや、プログラムを実行する際に利用されるデータを記憶し、要求に応じてプログラム及びデータを制御部１０１に提供する。記憶部１０４は、制御部１０１が実行するプログラム（例えば、後述する多数の情報セルを表示するプログラムや、入力検出プログラム等のコンテンツ処理用のプログラム等）、及びデータ等を記憶する。記憶部１０４は、例えばハードディスクや不揮発性半導体メモリなどによって構成される。
【００２１】
外部接続部１０５は、端末装置１００が制御部１０１の制御により外部、例えば、インターネットとの情報のやりとりを行う際に、情報を中継する。例えば、端末装置１００が携帯電話であれば、端末装置１００と携帯電話通信の基地局との接続を行い、端末装置１００が据え置き型パソコン等の装置であれば、無線又は有線でローカルエリアネットワークとの接続を行う。外部接続部１０５は、例えばアンテナやネットワークインターフェース機器等で構成される。
【００２２】
制御部１０１は、記憶部１０４から読み込んだプログラムを実行することにより、図２に示す各機能を実現する。具体的には、制御部１０１は、プログラムを実行することにより、第１の検出部１２と、第２の検出部１３と、指定部１４と、画面制御部１５として機能する。
【００２３】
第１の検出部１２は、画面表示部１０３に表示されている情報のうち、特定の部分を指す入力である第１の入力を検出し、その情報を指定部１４に伝達する。ここで、特定の部分とは、例えば、画面のスクロールやページ送りを指示しても、画面上に固定的に表示させ続けたい部分を意味し、例えば、タッチセンサ付き液晶パネル１１０を長押しすること等により指定される。
【００２４】
具体例で説明すると、例えば、図５Ａに示すように、画面表示部１０３上に多数の情報セルを表示するアプリケーションが起動しているときに、そのうちの１つの情報セル、例えば、一番上の情報セルＡ１を固定的に表示したい場合、操作者は情報セルＡ１を長押しする。第１の検出部１２は、この長押し操作を検出し、第１の入力があったことと対象の情報セルＡ１を特定する情報とを指定部１４に伝達する。
【００２５】
図２に示す第２の検出部１３は、画面表示部１０３に表示されている情報を変化させる（例えば、スクロールする、ページを送る）ことを指示する第２の入力を検出し、その情報を画面制御部１５に伝達する。
【００２６】
具体例で説明すると、例えば、図５Ａに示すように、画面表示部１０３上に多数の情報セルを表示するアプリケーションが起動しているときに、操作者が画面をスクロールさせるため下から上へ向けて画面をフリックした場合、第２の検出部１３はそのフリック操作を検出し、画面制御部１５に伝達する。
【００２７】
図２に示す指定部１４は、第１の検出部１２からの情報伝達を受け、画面表示部１０３に表示されている情報のうち、操作者が第１の入力により特定した部分に表示されている（含まれている）情報を指定する。さらに、指定部１４は、指定した情報を着色して表示する等により、指定されていることを明示する。
【００２８】
具体的には、例えば図５Ａに示すように、画面表示部１０３上に多数の情報セルを表示するアプリケーションが起動しているときに、操作者が一番上のセルＡ１を特定の部分として特定した場合、指定部１４は、第１の検出部１２から特定操作があったことと対象の情報セルＡ１を特定する情報とを受け、情報セルＡ１を指定する。また、例えば図５Ｂに示すように、指定部１４は、画面表示部１０３上で特定された情報セルＡ１の領域に色を付けるように画面制御部１５を制御する等により、情報セルＡ１が指定されていることを明示する。
【００２９】
図２に示す画面制御部１５は、第２の検出部１３から、画面表示部１０３に表示されている情報を変化させる情報の伝達を受け、画面表示部１０３上にその変化を反映させた新しい情報を表示させる。
【００３０】
具体的には、例えば図５Ｃに示すように、画面制御部１５は、指定部１４により指定された領域を着色表示し、また、画面の下から上へ向けてフリック操作があったことの伝達を第２の検出部１３から受けると、画面に表示されている情報セルを上方にスクロールさせ、表示を更新して、画面下部に新しい情報を表示させる。その際、画面制御部１５は、画面表示部１０３上に指定部１４により指定された情報を表示している領域があれば、その領域の情報はそのまま表示させ、それ以外の領域に新しい情報セルを表示させる。
【００３１】
図３は、端末装置１００の外観図である。なお、本実施形態では、端末装置１００が、いわゆるスマートフォンから構成される例について説明するが、端末装置１００はスマートフォンのような携帯電話機に限られない。例えば、Personal Digital Assistant（ＰＤＡ）などの携帯型情報端末、ノート型又はデスクトップ型のパーソナルコンピュータ、デジタルカメラ、音楽プレーヤなど、任意の情報処理装置（コンピュータ）であってもよい。
【００３２】
端末装置１００は、図３に示すように、タッチセンサ（タッチパネル）付き液晶パネル１１０を備えている。タッチセンサ付き液晶パネル１１０は、画面表示部１０３として各種情報を表示し、加えて、操作部１０２として、タッチセンサ（タッチパネル）への入力を検出する。
【００３３】
次に、以上の構成を有する端末装置１００の動作について、図４〜図６を参照して説明する。図４は、端末装置１００の入力検出処理を示すフローチャートである。図５Ａ〜図５Ｃは、タッチセンサ付き液晶パネル１１０に表示される画面を示す図であり、図５Ａは、横長の情報セルを縦方向に多数並べて表示するようなコンテンツの情報を表示した画面図であり、図５Ｂは、図５Ａに表示された状態から、さらに情報セルＡ１が指定された状態の画面図であり、図５Ｃは、図５Ｂに表示された状態から、さらに領域Ａ２に新しい情報を表示した際の画面図である。図６は、図５Ａ〜図５Ｃに示す処理を実行する際の、端末装置１００の画面表示操作処理を示すフローチャートである。
【００３４】
端末装置１００は、通常のスマートフォンと同様に、通話機能、メール機能、ウェブアクセス機能等を有するが、以下では、本発明に関連するコンテンツ表示機能を中心に説明する。
【００３５】
制御部１０１は、タッチセンサ付き液晶パネル１１０への入力操作があった場合、図４に示す入力検出処理を開始する。
【００３６】
まず、制御部１０１は、第１の検出部１２が第１の入力を検出したか否かを判別する（ステップＳ１００）。即ち、タッチセンサの情報が表示されている領域を長押しする等、情報を固定表示するための操作を行ったか否かを判別する。
【００３７】
第１の検出部１２が第１の入力を検出したと判別した場合（ステップＳ１００；Ｙｅｓ）、即ち、今回の入力が、情報を固定表示するための操作であった場合、指定部１４は、第１の検出部１２から、第１の入力があったこと及び第１の入力が示す情報（領域）を受領し、操作者によって特定された情報を指定する（ステップＳ１０１）。指定部１４は、画面制御部１５を介して特定された情報を着色して表示することにより、指定されていることを明示する。
【００３８】
一方、ステップＳ１００で、第１の入力を検出していないと判別した場合（ステップＳ１００；Ｎｏ）、第２の検出部１３が第２の入力を検出したか否かを判別する（ステップＳ１１０）。即ち、操作者が、表示をスクロールする、ページを送る等、情報を更新・変更するための操作を行ったか否かを判別する。
【００３９】
第２の検出部１３が入力を検出していないと判別した場合（ステップＳ１１０；Ｎｏ）、制御部１０１は、入力の内容を特定し、特定した入力内容に応じた処理を実行する（ステップＳ１１１）。
【００４０】
一方、ステップＳ１１０で、第２の検出部１３が第２の入力を検出したと判別した場合（ステップＳ１１０；Ｙｅｓ）、即ち、今回の入力が、情報のスクロール、ページ送りなどの情報の更新・変更を指示する入力であった場合、制御部１０１は、指定部１４により指定されている領域が存在するか否かを判別する（ステップＳ１２０）。
【００４１】
指定部１４により指定されている領域が存在すると判別した場合（ステップＳ１２０；Ｙｅｓ）、制御部１０１は、指定部１４により指定された領域の表示はそのまま維持しつつ、第２の入力に従って、それ以外の表示を更新する（ステップＳ１２１）。したがって、操作者は、指定部１４により指定されている領域の情報、即ち、操作者が第１の入力により特定した情報の表示をそのまま維持しつつ、新たな任意の情報を一画面に並べて表示させて、比較したり、あるいは維持した情報の表示を参照しながら次々新しい情報を参照したりすることができる。
【００４２】
一方、指定部１４により指定された領域が存在しないと判別した場合（ステップＳ１２０；Ｎｏ）、第２の入力に従って、表示全体を更新する（ステップＳ１２２）。
【００４３】
このように、本実施形態によれば、簡単な操作で、一度表示させた所望の情報を維持しつつ、新たな情報を表示することができる。したがって、表示情報を更新して新たな情報を表示する際に元の情報を維持するために、元の画面に表示されていた情報のメモを取ったりする煩雑な手間が不要である。また、新旧の情報が一画面に並べて表示されるので、比較することも容易に可能であり、効率良く情報を閲覧することが可能となる。
【００４４】
次に、上述の動作を図５Ａ、図５Ｂ、図５Ｃ及び図６を参照して具体的な操作者の操作に基づいて説明する。ここでは、理解を容易にするため、図５Ａに示すように、横長の情報セルを縦方向に多数並べてスクロールしつつ表示するアプリケーションを例に説明する。また、図６のフローチャートは、図４に示したフローチャートのうち具体例の説明に必要な部分を抽出したものである。
【００４５】
ここでは、図５Ａに示す、複数のセルから構成される画面（画像）がタッチセンサ付き液晶パネル１１０に表示されているものとする。
【００４６】
ここで、操作者が、情報セルＡ１を固定的に表示させたい（画面をスクロール等しても情報セルＡ１を継続して表示させたい）とする。この場合、操作者は、情報セルＡ１の領域に長く触れて（長押しして）、情報セルＡ１を特定する。すると、第１の検出部１２は、その操作を検出し（ステップＳ１１；Ｙｅｓ）、第１の入力があったこと及び操作により特定された領域を示す情報を、指定部１４に伝達する。
【００４７】
指定部１４は、第１の検出部１２から伝達された情報を受け、操作者が長く触れる操作をした情報セルＡ１を特定し（ステップＳ１２）、さらに、図５Ｂに示すように、画面制御部１５を介して画面表示上で情報セルＡ１に色を付けることで、指定した情報セルを明示する。
【００４８】
その後、操作者が、画面の表示されているセルの下方に位置しているセルを参照するため、タッチセンサ付き液晶パネル１１０上で、図５Ｃの矢印（ＡＲ）方向に、フリックしたとする。すると、第２の検出部１３は、第２の入力があったことを検出する（ステップＳ１３；Ｙｅｓ）。ここで、制御部１０１は、情報セルＡ１が指定部１４によって指定されているので、指定部１４によって指定された領域があると判断し（ステップＳ１２０；Ｙｅｓ）画面制御部１５にその情報を伝達する。
【００４９】
画面制御部１５は、第２の検出部１３からの情報伝達を受け、図５Ｃに示すように、画面表示部１０３上の、指定部１４により指定された情報を表示している領域以外の領域（領域Ａ２）に表示されている画像をフリックの方向、即ち、上方向にスクロールして新しい情報を表示させる（ステップＳ１４）。一方、情報セルＡ１は、指定部１４により指定されているので、端末装置１００はそのまま継続して表示する。
【００５０】
この具体例に示すように、本実施形態では、操作者は、旧情報（情報セルＡ１）の表示を固定したまま、その他の領域に表示されている情報を更新（スクロール）して、旧情報と新たに表示された情報とを一画面上に並べて表示することができる。したがって、操作者は、より効率的に情報を閲覧することができ、例えば、コンテンツを容易に対比することができる。
【００５１】
なお、図５Ａの状態、固定的に表示することを指定された領域がない状態で、操作者がフリック動作を行ったとすると、ステップＳ１１０で第２の入力（フリック）が検出される（ステップＳ１１０；Ｙｅｓ）。この場合、指定部１４による情報の指定がないので、ステップＳ１２０でＮｏと判別され、画面全体がスクロールされる（ステップＳ１２２）。
【００５２】
なお、第１実施形態においては、タッチセンサ付き液晶パネル１１０が画面表示部１０３として情報を表示するとともに、操作部１０２として第１の検出部１２及び第２の検出部１３への入力を行っているが、本発明はこれに限られない。例えば、画面表示部１０３としてタッチセンサのない液晶ディスプレイを使用し、第１の検出部１２及び第２の検出部１３への入力装置としてマウスを用いたとしても、同様の機能を得ることができる。
【００５３】
また、新しい情報を表示する際、端末装置１００は情報セルを上下方向へスクロールさせるのみならず、横方向へスクロールさせてもよいし、またページ移動等によって新しい情報を表示してもよい。
【００５４】
表示する情報の例として、複数のセルを表示するコンテンツの例を示したが、本発明は、これに限定されず、ページ単位など、任意のブロックに区分された情報を表示する場合に広く適用可能である。さらに、特段の区切りの無い情報であって、第１の入力で特定された領域を予め設定された基準により設定して処理してもよい。
【００５５】
（第２実施形態）  
第１実施形態においては、第１の入力と第２の入力とは、共に、タッチセンサ付き液晶パネル１１０への操作で行われる。しかし、入力の手法自体は任意であり、例えば、第１の入力と第２の入力とを物理的に異なった機構に入力することも可能である。第１の入力と第２の入力を物理的に異なる構成に対して行う形にすることによって、第１の入力と第２の入力とを干渉なく行えるようになり、より高い操作性を実現できる。
【００５６】
以下、第１の入力と第２の入力とを物理的に異なる入力装置に入力する実施形態を、図７Ａ及び図７Ｂを参照して説明する。
【００５７】
第２実施形態に係る端末装置２００は、図７Ａに示すように、正面にタッチセンサ付き液晶パネル１１０を備えており、図７Ｂに示すように、背面（タッチセンサ付き液晶パネル１１０が設けられている面の裏側の面）にはタッチセンサ１２０を備えている。
【００５８】
タッチセンサ付き液晶パネル１１０は、画面表示部１０３として各種情報を表示することが可能であり、加えて、タッチセンサ付き液晶パネル１１０のタッチセンサを第２の検出部１３として用いることができる。
【００５９】
タッチセンサ１２０は、第１の検出部１２として用いられる。タッチセンサ１２０は、タッチセンサ付き液晶パネル１１０に対応する座標系を有しており、タッチセンサ付き液晶パネル１１０に表示された特定の情報（領域）を指定しようとする場合、操作者は、タッチセンサ１２０において、タッチセンサ付き液晶パネル１１０上でその情報が表示されている領域に対応する部分をタッチすることで、当該特定の情報（領域）を指定できる。
【００６０】
端末装置２００において、画面表示部１０３、第１の検出部１２、第２の検出部１３、指定部１４、及び画面制御部１５の動作は第１実施形態と同様である。
【００６１】
操作者は、端末装置２００において画面上の特定の情報を指定する場合、端末装置２００の背面にあるタッチセンサ１２０の対応箇所をタッチする等の操作を行うことにより、当該特定の情報を指定することができる。また操作者は、当該特定の情報以外の情報が表示された領域に新しい情報を表示させたい場合、端末装置２００の正面にあるタッチセンサ付き液晶パネル１１０上でタッチ・フリックする等の操作により、画面上に新しい情報を表示させることができる。
【００６２】
ここで、タッチセンサ１２０をタッチする際には例えば人差し指でタッチし、タッチセンサ付き液晶パネル１１０をタッチ・フリックする際は同じ手の親指で行うことになる。このとき、人差し指と親指がそれぞれ端末装置２００の背面と正面とを別々に触ることになるため、操作の際に互いの指がじゃまになることなく、片手で端末装置２００を保持したまま、その手の人差し指と親指とで操作することができる。また、片手で端末装置２００を保持したままその手の指でタッチセンサ１２０を操作し、もう一方の手でタッチセンサ付き液晶パネル１１０を操作することもできる。
【００６３】
以上のとおり、第２実施形態では、操作者は、第１の検出部１２への入力と第２の検出部１３への入力とを端末装置の正面と背面とに分離して別々に行うことができる。これにより、第１実施形態による効果に加え、操作者が両検出手段への入力を干渉なく行えるようになり、よりよい操作性を実現できる。
【００６４】
なお、以上の実施形態においては、タッチセンサ付き液晶パネル１１０のタッチセンサを第２の検出部１３として、タッチセンサ１２０を第１の検出部１２として用いたが、逆に、タッチセンサ付き液晶パネル１１０のタッチセンサを第１の検出部１２として、タッチセンサ１２０を第２の検出部１３として用いたとしても、同様の効果を得ることができる。
【００６５】
なお、タッチセンサ付き液晶パネル１１０に対するタッチセンサ１２０の大きさは、任意である。例えば、タッチセンサ付き液晶パネル１１０と同じ大きさで、表裏対応するように設置すると、操作者が所望の情報を指定する場合には、タッチセンサ１２０の、タッチセンサ付き液晶パネル１１０上でその特定の情報が表示されている部分のちょうど裏側に当たるタッチセンサ１２０の部分をタッチすることで、当該特定の情報を指定することができ、よりわかりやすい操作性を実現できる。また、タッチセンサ付き液晶パネル１１０に比べて小さいサイズでタッチセンサ１２０を設置することで、より小さな領域での操作を実現することもできるし、逆に大きいサイズで設置することで、小さな情報セルを選択する場合により選択しやすい操作性を実現することもできる。
【００６６】
本実施形態では、第１の検出部１２及び第２の検出部１３としてタッチセンサを使用しているが、これらとして用いられる装置はタッチセンサに限られない。例えば、第１の検出部１２及び第２の検出部１３としてホイールによるポインティングデバイス等を用いたとしても同様の効果を得ることができる。
【００６７】
（第３実施形態）
本発明の第２実施形態においては、端末装置２００はタッチセンサ付き液晶パネル１１０を正面に備え、タッチセンサ１２０を背面に備えていた。しかし、タッチセンサが筐体の正面と背面にあるため、操作者は両方を同時に視認することができず、例えば背面にカバーが掛かっている状態であった場合など、実際に筐体背面に触って確認するまで気がつかないことも考えられる。
【００６８】
第３実施形態は、操作部１０２を端末装置の側面に設けることにより、操作者が第１の検出部１２への入力部分と第２の検出部１３への入力部分を同時に視認でき、操作者がより効果的に操作部を扱うことができるようにしたものである。
【００６９】
以下、第３実施形態に係る端末装置３００を図８Ａ〜図８Ｃを参照して説明する。
【００７０】
端末装置３００は、図８Ａに示すように、正面にタッチセンサ付き液晶パネル１１０を備えている。また、図８Ｂに示すように、筐体の右側面にタッチセンサ１３０を備えている。タッチセンサ付き液晶パネル１１０は、画面表示部１０３として各種情報を表示することが可能であり、加えて、第２の検出部１３として、タッチセンサが用いられる。なお、図８Ｃに示すように、筐体の左側面にはタッチセンサは備えられていない。
【００７１】
タッチセンサ１３０は、タッチセンサ付き液晶パネル１１０と上下方向の位置が対応する座標系を有しており、タッチセンサ付き液晶パネル１１０に表示された特定の情報を指定しようとする場合、その情報が表示されている領域に該当する部分をタッチすることで当該特定の情報を指定できる。
【００７２】
第１の検出部１２が筐体右側面のタッチセンサ１３０からの入力を検出すると、指定部１４は、当該入力が検出された位置に対応する位置（高さ）に表示されている情報を指定する。それ以降の動作は、第２実施形態と同じであり説明を省略する。
【００７３】
操作者は、上記の端末装置３００において画面上の特定の情報（表示を固定したい情報）を指定する場合、端末装置３００の右側面にあるタッチセンサ１３０の対応箇所をタッチする等の操作を行うことにより、当該特定の情報を指定することができる。また操作者は、当該特定の情報以外の情報が表示された領域に新しい情報を表示させたい場合、端末装置３００の正面にあるタッチセンサ付き液晶パネル１１０上をタッチ・フリックする等の操作を行うことにより、画面上に新しい情報を表示させることができる。
【００７４】
ここで、タッチセンサ１３０をタッチする際には例えば人差し指でタッチし、タッチセンサ付き液晶パネル１１０をタッチ・フリック等する際は同じ手の親指で行うことになる。人差し指と親指がそれぞれ端末装置３００の右側面と正面とを別々に触ることになるため、操作の際に互いの指がじゃまになることなく、片手で端末装置３００を保持したまま、その手の人差し指と親指とで操作することができる。また、片手で端末装置３００を保持したままその手の指でタッチセンサ１３０を操作し、もう一方の手でタッチセンサ付き液晶パネル１１０を操作することもできる。
【００７５】
さらに、右側面のタッチセンサ１３０とタッチセンサ付き液晶パネル１１０を同時に視認することができるため、例えばタッチセンサ１３０にカバーが掛かっている場合はすぐに気づくことができる。
【００７６】
以上のとおり、第１の入力を行う部分と第２の入力を行う部分を同時に視認でき、操作者がより効果的に操作部を扱うことができる。これにより、第１及び第２実施形態による効果に加え、操作者が両検出手段を同時に視認することができ、よりよい操作性を実現できる。
【００７７】
なお、本実施例においてはタッチセンサ１３０を右側面に配置したが、左側面に配置してもよいし、また左右の両側面に配置してもよい。また、本実施形態においては、タッチセンサ付き液晶パネル１１０のタッチセンサを第２の検出部１３として、タッチセンサ１３０を第１の検出部１２として用いたが、逆に、タッチセンサ付き液晶パネル１１０のタッチセンサを第１の検出部１２として、タッチセンサ１３０を第２の検出部１３として用いたとしてもよい。
【００７８】
なお、タッチセンサ付き液晶パネル１１０に対するタッチセンサ１３０の大きさは任意である。例えば、タッチセンサ付き液晶パネル１１０と上下方向のサイズが一致するようにタッチセンサ１３０を設置すると、操作者が所望の情報を指定する場合には、タッチセンサ付き液晶パネル１１０上でその特定の情報が表示されている領域と同じ高さのタッチセンサ１３０の領域をタッチすることで、当該特定の情報を指定することができ、わかりやすい操作性を実現することができる。また、サイズをより小さくすることで、より小さな領域での操作を実現することもできるし、逆に大きいサイズで設置することで、小さな情報セルを選択する場合により選択しやすい操作性を実現することもできる。
【００７９】
また、本実施形態では第１の検出部１２及び第２の検出部１３としてタッチセンサを使用しているが、これらとして用いられる装置はタッチセンサに限られない。例えば、第１の検出部１２及び第２の検出部１３としてホイールによるポインティングデバイスを用いたとしても同様の効果を得ることができる。
【００８０】
（第４実施形態）
表示画面上で情報を更新・変更する際、固定表示対象の情報がある場合とない場合で表示形態を区別し、情報を固定表示した状態である場合にはそれが操作者にわかるようにすることで、よりわかりやすいインターフェースを実現できる。
【００８１】
本発明の第４実施形態は、操作者に対して指定された情報があるかないかを直感的に伝えるインターフェースを実現したものである。
【００８２】
図９Ｂ及び図９Ｃは、図９Ａに示す状態において、情報セルＡ１を固定表示用のセルとして指定した状態で、操作者が矢印（ＡＲ）方向にフリックした際の、タッチセンサ付き液晶パネル１１０上の画面図である。なお、第４実施形態においては、第１実施形態と同じく、第１の入力と第２の入力とが、共にタッチセンサ付き液晶パネル１１０への操作で行われるものとして説明する。
【００８３】
端末装置１００において、操作者が、図９Ａに示すように、指定部１４により指定された情報がない状態で、フリック動作を行って画面表示をスクロールさせる際は、表示されている情報が滑らかにスクロールされる。
【００８４】
それに対し、図９Ｂ、図９Ｃに示すように、指定部１４により情報が指定されている場合、指定された情報セルと移動中の情報セルの上下の辺が重なったタイミングで、画面制御部１５は、移動中の情報セルの表示を上下、もしくは左右方向に小さく振動させる。その後も操作者がさらに画面をスクロールする場合、やはり情報セルの上下の辺が重なっていない間は滑らかにスクロールされ、再び情報セルの上下の辺が重なったタイミングで、画面制御部１５は、移動中の情報セルを小さく振動させる。これにより、情報セルが一つぶんスクロールされるごとに移動中の情報セルが小さく振動する。これは、指定された情報がない状態とは明らかに異なる。
【００８５】
この場合、フリックなどのスクロールを指示する第２の入力操作があると、第２の検出部１３がこれを検出し、制御部１０１は、図１０に示すスクロール処理を開始する。
【００８６】
スクロール処理を開始すると、制御部１０１は、指示部１４により指定された情報（固定表示セル）が存在するか否かを判別する（ステップＳ４１）。
【００８７】
指示部１４により指定された情報が存在する場合（ステップＳ４１；Ｙｅｓ）、固定表示セルとスクロールしているセルとが新たに重なる状態になるか否かを判別する（ステップＳ４２）。換言すれば、スクロールしているいずれかのセルの上辺（上スクロールの場合）又は下辺（下スクロールの場合）が固定表示セルの下辺（上スクロールの場合）又は上辺（下スクロールの場合）と一致するか否かを判別する。例えば、図９Ｂに示す状態では、まだ重ならないと判別され、図９Ｃの状態では、新たに重なると判別される。
【００８８】
ステップＳ４２で固定表示セルと移動セルのいずれかが新たに重なると判別された場合（ステップＳ４２；Ｙｅｓ）、図９Ｃに示すように、新たに重なる移動セルを上下・左右に振動させて表示する（ステップＳ４３）。
【００８９】
その後、通常のスクロールを行う（ステップＳ４４）。続いて、スクロールが終了したか否かを判別する（ステップＳ４５）。
【００９０】
スクロールが終了していれば（ステップＳ４５；Ｙｅｓ）、処理を終了し、スクロールが終了していなければ（ステップＳ４５；Ｎｏ）、ステップＳ４１にリターンする。
【００９１】
一方、ステップＳ４１において、指示部１４により指定された情報が無いと判別された場合（ステップＳ４１；Ｎｏ）と、ステップＳ４２において、固定表示セルと新たに重なる移動セルが存在しない（ステップＳ４２；Ｎｏ）と判別された場合には、ステップＳ４４にジャンプして、通常のスクロールを実行する。
【００９２】
このように、指定された情報がない状態とある状態とで情報セルのスクロールの様態に変化を付けることにより、操作者は、スクロールの様態の違いから指定された情報があるかないかを直感的に認識することができる。これにより、操作者により直感的なインターフェースを提供することができる。
【００９３】
以上のとおり、第１実施形態から第３実施形態の効果に加え、操作者に対して情報の変化を直感的に伝えるインターフェースを実現できる。
【００９４】
なお、以上の説明では、画面上の固定セルとまさに重なろうとする情報セルを振動させることによって上記の効果を生じたが、本発明はこれに限られない。例えば、指定された情報がある状態では、スクロール等の画面変化に応じて端末装置に搭載されたバイブレーターによって端末装置を揺動させることによって、操作者に指定された情報があることを示すことも可能であり、そうすることで画面上の振動がなくとも同様の効果を得ることができる。また、スクロール速度を変更する等によっても同様の効果を得ることができる。
【００９５】
この実施形態において、画面制御部１５やバイブレーター等の、操作者に指定された情報を報知する装置は、報知手段として機能する。
【００９６】
（第５実施形態）
第１実施形態から第４実施形態においては、指定された情報を表示した状態で、指定された情報以外の情報を表示していた領域に新しい情報を表示し、それにより操作者にとって効率的な閲覧を可能としている。しかし、指定された情報は固定表示されており、例えば指定された情報を拡大してより詳細に見るといったことは、前述の実施形態ではできなかった。
【００９７】
それに対し本実施形態では、表示されている情報のうち指定された情報の拡大・縮小などの変化を可能とするものである。これにより操作者は、所望の情報を指定した後、当該指定した情報のみを必要に応じて拡大・縮小など変化させることが可能となり、より効率的に情報を閲覧することができる。
【００９８】
本発明の第５実施形態に係る端末装置１００は、第１実施形態に係る端末装置１００と同様、正面にタッチセンサ付き液晶パネル１１０を備えており、外観は図３に示された端末装置１００と同一である。
【００９９】
本発明の第５実施形態に係る端末装置１００の構成は、図２に示された第１実施形態のものと同様である。即ち、本実施形態に係る端末装置１００は、制御部１０１、操作部１０２、画面表示部１０３、記憶部１０４、及び外部接続部１０５を備える。ここで、第１の検出部１２及び指定部１４の機能は、第１実施形態と同様である。
【０１００】
第２の検出部１３は、操作部１０２から、画面表示部１０３に表示されている情報のうち、第１の検出部１２により指定された特定の情報を拡大・縮小させる第２の入力を検出し、その情報を画面制御部１５に伝達する。情報を拡大する第２の入力は、例えば、ピンチアウトであり、情報を縮小する第２の入力は、例えば、ピンチインである。
【０１０１】
画面制御部１５は、第２の検出部１３からの情報伝達を受け、画面表示部１０３上で指定部１４により指定された情報を拡大・縮小表示させる。
【０１０２】
以下、本発明の第５実施形態に係る端末装置１００において、操作者が、あるコンテンツを閲覧している際に、所定の部分の情報を拡大又は縮小する際の動作について、図１１Ａ〜図１１Ｃの表示例と図１２のフローチャートを参照して説明する。なお、図１２のフローチャートにおいて、図４、図６のフローチャートと重複する部分における端末装置１００の動作は、図４、図６のフローチャートに示す処理と同様である。
【０１０３】
端末装置１００において、横長の情報セルを縦方向に多数並べて表示するようなコンテンツの情報を表示する場合、端末装置１００は、タッチセンサ付き液晶パネル１１０上に最初は図１１Ａのような画面を表示する。
【０１０４】
操作者が、画面上で一番上の情報セルＡ１を固定表示させるために、タッチセンサ付き液晶パネル１１０上で情報セルＡ１を長押しする等して、特定したとする。すると、第１の検出部１２はその入力を検出し（ステップＳ１００）、指定部１４にその情報を伝達する。
【０１０５】
指定部１４は、第１の検出部１２からの情報伝達を受け、固定対象の情報セルＡ１を指定し（ステップＳ１０１）、図１１Ｂに示すように、この情報セルＡ１に色を付ける。情報セルＡ１の色が変わったことを見て、操作者は対象の情報セルの情報が指定されたことを認識できる。
【０１０６】
図１１Ｂの状態で、操作者が指定された情報が示された領域（情報セルＡ１）をピンチアウトした場合、第２の検出部１３は第２の入力（ピンチアウト）を検出し（ステップＳ１１０；Ｙｅｓ）、画面制御部１５にその情報を伝達する。
【０１０７】
画面制御部１５は、第２の検出部１３からの情報伝達を受け、指定部１４により指定された領域が存在するか判別する（ステップＳ１２０）。この例では、指定された領域（情報セルＡ１）が存在するので（ステップＳ１２０；Ｙｅｓ）、情報セルＡ１を図１１Ｃに示すように拡大表示する（ステップＳ２２１）。
【０１０８】
このように、端末装置１００は、指定部１４により指定された情報だけを拡大して表示することができる。
【０１０９】
また、操作者が、図１１Ｂの状態で、操作者が領域Ａ１をピンチインした場合、ステップＳ１１０で、第２の検出部１３が第２の入力（ピンチイン）を検出し、情報セルＡ１に表示されていた情報セルを縮小表示する（ステップＳ２２１）。
【０１１０】
上記のステップを経た後、端末装置１００は指定部１４による情報セルＡ１の選択を解除し（ステップＳ２２３）、処理を終了する。
【０１１１】
一方、図１１Ａに示す表示状態で、第２の入力（ピンチアウト、ピンチイン）を行った場合、第２の検出部１３は第２の入力を検出し（ステップＳ１１０；Ｙｅｓ）、画面制御部１５にその情報を伝達する。
【０１１２】
画面制御部１５は、第２の検出部１３からの情報伝達を受け、指定部１４により指定された領域が存在するか判別する（ステップＳ１２０）。この例では、指定された領域（情報セル）が存在しないので（ステップＳ１２０；Ｎｏ）、表示中の情報（画像）全体を拡大又は縮小表示する（ステップＳ２２２）。
【０１１３】
このように、本実施形態によると、操作者は、第１の検出部１２への入力で特定の情報を指定し、画面上に表示したまま、第２の検出部１３への入力で当該特定の情報の表示を変化させることができる。この結果、操作者は、特定の情報のみを拡大・縮小して閲覧することができ、より効率的に情報を閲覧することができる。
【０１１４】
以上説明したように、筐体正面のタッチパネルにおいて当該指定した情報に対して操作を行うことで、所望の情報を表示部上に固定するとともに、固定した情報に対しては、片手での操作によってより効率的に情報を閲覧することができる。
【０１１５】
なお、上記の実施形態においては、第１の検出部１２への入力も、第２の検出部１３への入力も、端末装置１００の前面に設けられたタッチセンサ付き液晶パネル１１０を経由して行われていた。このため、操作者がピンチイン又はピンチアウトの操作をする際、片手で端末装置１００を保持した上で、もう一方の手の指でタッチセンサ付き液晶パネル１１０上をピンチインあるいはピンチアウトの操作をすることが必要である。
【０１１６】
上記の実施形態を、第２実施形態のように、両検出手段への入力のうち一方を端末装置の前面に設けた操作部から、他方を背面に設けた操作部で検出するようにした端末装置２００で実現することも可能である。その場合、操作者は片手で端末装置２００を保持したまま、その手の親指で正面のタッチセンサ付き液晶パネル１１０を操作し、同じ手の他の指で背面のタッチセンサ１２０を操作することで上記の効果を得られるため、操作者は両手を使わずに同操作をすることができ、よりよい操作性を実現できる。
【０１１７】
同様に、第３実施形態のように、筐体の側面に配置したタッチパネル１３０で操作することで、第２の入力を入力できるようにしてもよい。
【０１１８】
また、上記の第５実施形態においては、第２の検出部１３は、指定部１４により指定された情報を拡大・縮小するための機能と、第１実施形態と同様の機能（画面表示部１０３に表示されている情報のうち、第１の検出部１２により指定された特定の情報以外の情報を変化させる入力を検出し、その情報を画面制御部１５に伝達する機能）とを併せ持ってもよい。その場合、例えば図５Ｂにおいて、第２の検出部１３が領域Ａ１を拡大させる入力を検出した場合は、指定された情報を拡大することができるし、領域Ａ２をスクロールさせる入力を検出した場合は、指定された情報以外の情報を表示している領域に新しい情報を表示させることができる。これにより、第１実施形態と第５実施形態の両方の効果を得ることができる。
【０１１９】
なお、本発明は、上記の実施形態で説明した種々の構成を全て備える必要はない。例えば、本願発明は、図２に示す構成の、画面表示部１０３（表示手段）、第１の検出部１２（第１の検出手段）、第２の検出部１３（第２の検出手段）、指定部１４（指定手段）、画面制御部１５（画面制御手段）、という構成によっても十分達成されるものである。
【０１２０】
なお、本発明に係る端末装置は、専用のシステムによらず、通常のコンピュータシステムを用いても実現可能である。例えば、コンピュータに、上記動作を実行するためのプログラムを、フレキシブルディスク、Compact Disk-Read Only Memory（ＣＤ−ＲＯＭ）、Digital Versatile Disk（ＤＶＤ）、Magnet Optical Disk（ＭＯ）などのコンピュータ読み取り可能な記憶媒体に記憶して配布し、これをコンピュータシステムにインストールすることにより、上述の処理を実行する端末装置を構成してもよい。さらに、インターネット上のサーバ装置が有するディスク装置等にプログラムを記憶しておき、例えば、搬送波に重畳させて、コンピュータにダウンロードする等してもよい。
【０１２１】
本発明は、本発明の広義の精神と範囲を逸脱することなく、様々な実施形態や変形が可能である。また、上述した実施形態は、本発明を説明するためのものであり、本発明の範囲を限定するものではない。即ち、本発明の範囲は、実施形態ではなく、特許請求の範囲によって示される。そして、特許請求の範囲内及びそれと同等の発明の意義の範囲内で施される様々な変形が、本発明の範囲内とみなされる。
【０１２２】
上記の実施形態の一部又は全部は、以下の付記のようにも記載されうるが、以下には限られない。
【０１２３】
（付記１）
情報を表示する表示手段と、
第１の入力を検出する第１の検出手段と、
第２の入力を検出する第２の検出手段と、
前記第１の入力に基づいて、前記表示手段により表示された情報のうち特定の情報を指定する指定手段と、
前記第２の入力に基づいて、前記表示手段に新しい情報を表示させる画面制御手段と、を備え、
前記表示手段は、前記指定手段により指定された特定の情報を表示したまま、前記画面制御手段により新しい情報を表示する、
ことを特徴とする端末装置。
【０１２４】
（付記２）
情報の表示と入力の検出とが可能な表示パネルを備え、
前記表示パネルは前記表示手段として情報を表示し、
前記第１の検出手段は、前記表示パネルが検出した入力から前記第１の入力を検出し、
前記第２の検出手段は、前記表示パネルが検出した入力から前記第２の入力を検出する、
ことを特徴とする付記１に記載の端末装置。
【０１２５】
（付記３）
情報の表示と入力の検出とが可能な表示パネルと、入力装置とを備え、
前記表示パネルは端末装置の一つの面に設置され、
前記入力装置は端末装置の他の面に設置され、
前記表示パネルは前記表示手段として情報を表示し、
前記第１の検出手段は、前記表示パネルが検出した入力又は前記入力装置による入力から前記第１の入力を検出し、
前記第２の検出手段は、前記入力装置による入力又は前記表示パネルが検出した入力から前記第２の入力を検出する、
ことを特徴とする付記１に記載の端末装置。
【０１２６】
（付記４）
前記入力装置は、端末装置の対向する一組の側面にそれぞれ設置されている、
ことを特徴とする付記３に記載の端末装置。
【０１２７】
（付記５）
前記第２の入力に基づいて、前記画面制御手段が前記指定手段により指定された特定の情報以外の情報の表示を変化させる際、前記指定手段によって指定された特定の情報があることを報知する報知手段を備える、
ことを特徴とする付記１から４のいずれか１つに記載の端末装置。
【０１２８】
（付記６）
前記画面制御手段は、前記指定手段により指定された特定の情報が存在する場合には、前記第２の入力に応答して、新たな情報として、前記特定の情報を加工表示する、
ことを特徴とする付記１から５のいずれか１つに記載の端末装置。
【０１２９】
（付記７）
前記画面制御手段は、前記指定手段により指定された特定の情報が存在する場合には、前記第２の入力に応答して、前記特定の情報を拡大又は縮小して表示し、前記特定の情報以外の情報の表示は、そのまま維持する、
ことを特徴とする付記６に記載の端末装置。
【０１３０】
（付記８）
情報を表示する表示ステップと、
前記表示ステップで表示された情報のいずれかを指定する指定ステップと、
前記表示ステップで表示された情報の更新を指示する更新指示ステップと、
前記更新指示ステップで表示中の情報の更新が指示されたときに、前記表示ステップを制御して表示情報を更新し、且つ、前記指定ステップでいずれかの情報が指定され且つ前記更新指示ステップで表示中の情報の更新が指示されたときに、前記表示ステップを制御して、前記指定ステップで指定された情報を表示した状態で、他の表示情報を更新する制御ステップと、を備える、
ことを特徴とする情報表示方法。
【０１３１】
（付記９）
コンピュータに、
情報を表示する表示機能、
前記表示機能により表示された情報のいずれかを指定する指定機能、
前記表示機能により表示された情報の更新を指示する更新指示機能、
前記更新指示機能により表示中の情報の更新が指示されたときに、前記表示機能を制御して表示情報を更新し、且つ、前記指定機能によりいずれかの情報が指定され且つ前記更新指示機能により表示中の情報の更新が指示されたときに、前記表示機能を制御して、前記指定機能により指定された情報を表示した状態で、他の表示情報を更新する制御機能、
を実現させるためのプログラムを記録した記録媒体。
【０１３２】
本発明は、２０１３年２月２７日に出願された日本国特許出願２０１３−３７８４５号に基づく。本明細書中に日本国特許出願２０１３−３７８４５号の明細書、特許請求の範囲、図面全体を参照として取り込むものとする。
【符号の説明】
【０１３３】
１００、２００、３００    端末装置
１２  第１の検出部
１３  第２の検出部
１４  指定部
１５  画面制御部
１０１  制御部
１０２  操作部
１０３  画面表示部
１０４  記憶部
１０５  外部接続部
１１０  タッチセンサ付き液晶パネル
１２０、１３０  タッチセンサ
【図１】
2014132882.tif 000003
【図２】
2014132882.tif 000004
【図３】
2014132882.tif 000005
【図４】
2014132882.tif 000006
【図５Ａ】
2014132882.tif 000007
【図５Ｂ】
2014132882.tif 000008
【図５Ｃ】
2014132882.tif 000009
【図６】
2014132882.tif 000010
【図７Ａ】
2014132882.tif 000011
【図７Ｂ】
2014132882.tif 000012
【図８Ａ】
2014132882.tif 000013
【図８Ｂ】
2014132882.tif 000014
【図８Ｃ】
2014132882.tif 000015
【図９Ａ】
2014132882.tif 000016
【図９Ｂ】
2014132882.tif 000017
【図９Ｃ】
2014132882.tif 000018
【図１０】
2014132882.tif 000019
【図１１Ａ】
2014132882.tif 000020
【図１１Ｂ】
2014132882.tif 000021
【図１１Ｃ】
2014132882.tif 000022
【図１２】
2014132882.tif 000023
【手続補正書】
【提出日】平成27年7月17日(2015.7.17)
【手続補正２】
【補正対象書類名】明細書
【補正対象項目名】０００１
【補正方法】変更
【補正の内容】
【０００１】
本発明は、表示機能を備えた端末装置、情報表示方法及びプログラムに関する。
【手続補正３】
【補正対象書類名】明細書
【補正対象項目名】０００９
【補正方法】変更
【補正の内容】
【０００９】
本発明は、上記の実情に鑑みてなされたものであり、操作者がより効率的に情報を閲覧することのできる端末装置、情報表示方法及びプログラムを提供することを目的とする。また、本発明は、コンテンツを容易に対比可能に表示することのできる端末装置、情報表示方法及びプログラムを提供することを目的とする。
【手続補正４】
【補正対象書類名】明細書
【補正対象項目名】００１２
【補正方法】変更
【補正の内容】
【００１２】
上記目的を達成するために、本発明の第３の観点に係るプログラムは、コンピュータに、
情報を表示する表示機能、
前記表示機能により表示された情報のいずれかを指定する指定機能、
前記表示機能により表示された情報の更新を指示する更新指示機能、
前記更新指示機能により表示中の情報の更新が指示されたときに、前記表示機能を制御して表示情報を更新し、且つ、前記指定機能によりいずれかの情報が指定され且つ前記更新指示機能により表示中の情報の更新が指示されたときに、前記表示機能を制御して、前記指定機能により指定された情報を表示した状態で、他の表示情報を更新する制御機能、
を実現させることを特徴とするプログラムである。
【手続補正５】
【補正対象書類名】明細書
【補正対象項目名】００１３
【補正方法】変更
【補正の内容】
【００１３】
本発明により、操作者がより効率的に情報を閲覧することのできる端末装置、情報表示方法及びプログラムを提供することができる。
【手続補正６】
【補正対象書類名】特許請求の範囲
【補正対象項目名】請求項９
【補正方法】変更
【補正の内容】
【請求項９】
コンピュータに、
情報を表示する表示機能、
前記表示機能により表示された情報のいずれかを指定する指定機能、
前記表示機能により表示された情報の更新を指示する更新指示機能、
前記更新指示機能により表示中の情報の更新が指示されたときに、前記表示機能を制御して表示情報を更新し、且つ、前記指定機能によりいずれかの情報が指定され且つ前記更新指示機能により表示中の情報の更新が指示されたときに、前記表示機能を制御して、前記指定機能により指定された情報を表示した状態で、他の表示情報を更新する制御機能、
を実現させるためのプログラム。
【国際調査報告】
2014132882.tif 000024
2014132882.tif 000025
2014132882.tif 000026
2014132882.tif 000027